(57)【特許請求の範囲】
【請求項１】
動力伝達手段によって互いに連動する供給リールと巻取りリールをケース内に配置し、供給リールから繰り出される塗布膜転写テープを前記ケースより突出する塗布膜転写ヘッドで被転写面に押圧しながら移動させて転写済のテープとして前記巻取りリールに巻き取らせるようにした塗布膜転写具において、前記供給リールを該供給リールの駆動軸に、該供給リールに巻き付けた前記塗布膜転写テープの先端に接続した取付け片を、前記ケースに回動自在に組付けた前記巻取りリールにそれぞれ着脱自在に取付けた、塗布膜転写具。
【発明の詳細な説明】
【０００１】
【産業上の利用分野】
本発明は、片面に修正剤や螢光剤などを塗布した塗布膜転写テープの修正剤等を被転写面（紙面など）に転写するために用いる塗布膜転写具に関するものである。
【０００２】
【従来の技術】
動力伝達手段によって互いに連動する供給リール（コア）と巻取りリール（コア）をケース内に配置し、供給リールから繰り出される塗布膜転写テープを前記ケースより突出する塗布膜転写ヘッドで被転写面に押圧しながら移動させて転写済のテープとして前記巻取りリールに巻き取らせるようにした塗布膜転写具は特開平９−２７２４号公報所載の通り公知で、この公知例は供給リールと巻取りリールを供給リールに巻回した塗布膜転写テープによって互いに一体的にし、これらリールを各リール用の軸に着脱自在に組付けて用いるようにしている。
【０００３】
【発明が解決しようとする課題】
前記公知例は前記の通りの構成であるので、スペア用としての塗布膜転写テープは、供給リールと巻取りリールを該塗布膜転写テープを介して一体的にした形態で保持しておく必要があるので、嵩ばり保管上煩雑で、使用済に際してはこれらリールを廃棄することになるので、感覚的にもったいないものになる。
【０００４】
【課題を解決するための手段】
動力伝達手段によって互いに連動する供給リールと巻取りリールをケース内に配置し、供給リールから繰り出される塗布膜転写テープを前記ケースより突出する塗布膜転写ヘッドで被転写面に押圧しながら移動させて転写済のテープとして前記巻取りリールに巻き取らせるようにした塗布膜転写具において、前記供給リールを該供給リールの駆動軸に、該供給リールに巻き付けた前記塗布膜転写テープの先端に接続した取付け片を、前記ケースに回動自在に組付けた前記巻取りリールにそれぞれ着脱自在に取付けた構成としたものである。
【０００５】
【実施例】
図面は本発明に係る塗布膜転写具の一実施例を示し、図１は蓋枠を取り外して示した正面図、図２は塗布膜転写テープを装填した状態の一部欠截正面図、図３は図２のＸ−Ｘ線断面図、図４は塗布膜転写テープの斜視図である。
【０００６】
図中、１は蓋枠２５と共にケースＡを構成する基枠で、基枠１に第一支持筒２と第二支持筒３およびこれら支持筒２，３間に介在させた第三支持筒４を突設し、第一支持筒２には基端側に従動歯車５を一体に設けた、ほぼ円筒状の巻取りリール６を回転自在に組付け、該巻取りリール６の外側には、前記第一支持筒２と同心円上にして、第一支持筒２乃至巻取りリール６を部分的に取り囲むようにして前記基枠１に突設した、複数個の円曲部片７，７，７を突設し、この円曲部片７，７，７に回動片９を円形窓孔８において係合し、該回動片９の一端には、転写ヘッド１０を突設してある。
【０００７】
なお、回動片９に係止片２３を設け、該係止片２３を基枠１に設けた部片２４に係止させるようにして回動片９は図２の矢印方向にのみ回動するようにしてある。
【０００８】
前記巻取りリール６の巻取り部６Ａを構成する先端側には、前記第一支持筒２を介して相対する位置にして、第一支持筒２の長手方向に沿うようにして一対の受入凹部１１，１１を設け、該受入凹部１１，１１に塗布膜転写テープａの先端を取付けた取付片１２の脚部片１２ａ，１２ａを係合するようにしてある。
【０００９】
前記第二支持筒３には、第一支持筒２に組付けた前記従動歯車５および第三支持筒３に組付けた駆動歯車１３とかみ合う仲介歯車１４を回動自在に組付けてある。
【００１０】
なお、仲介歯車１４には凹凸部２１を設け、この凹凸部２１に基枠１に設けた窓孔２２を通じて指先を係止させるようにして転写テープａが緩んだときの補正を行えるようにしてある。
【００１１】
前記駆動歯車１３は組付け筒部１３ａにおいて前記第三支持筒４に回動自在に組付け、前記組付け筒部１３ａを取り囲むようにして組付け筒部１３ａと同心円上にして外円筒部１３ｂを設けたもので、外円筒部１３ｂと組付け筒部１３ａ間には、組付け筒部１３ａにその外側において回動可能に組付けた芯筒部１５ａと該芯筒部１５ａの相対向する両端に突設した腕部片１５ｂ，１５ｂの先端に設けた圧接部片１５ｃ，１５ｃとから成る芯材１５を組付けてある。
【００１２】
芯材１５は、駆動歯車１３の外円筒部１３ｂの内周面に弾性の前記圧接部片１５ｃが圧接することにより、駆動歯車１３側からの回動力が伝達されて回動し、芯筒部１５ａに放射状位置にして受止部片１６…を突設し、該受止部片１６間に係合する係止部片１７…を供給リール１８の内周面に列設してある。
【００１３】
供給リール１８は主体筒部１８ａの両端に鍔部片１８ｂ，１８ｂを設けたボビン体の主体筒部１８ａに前記転写テープａを巻き付けて成り、主体筒部１８ａ内側には、前記の通り、係止部片１７…を設けて構成し、前記転写テープａの先端に中央部片１２ｂと前記一対の脚部片１２ａ，１２ａとで成る門構え状の前記取付片１２を一方の脚部片１２ａにおいて取付けてある。
【００１４】
なお、前記駆動歯車１３には部分的に切り込みをいれて爪部片１９を設け、該爪部片１９を前記基枠１に設けたラチット歯２０に係止するようにして一方方向へのみ回動するようにしてある。
【００１５】
しかして、供給リール１８を主体筒部１８ａにおいて芯材１５の芯筒部１５ａに係合し、供給リール１８より導出した転写テープａの先端に備えた取付片１２を脚部片１２ａにおいて巻取りリール６の受入凹部１１に係合して（このとき、図２の符号ａ´で示すような位置関係で転写テープａは両リール１８，６間に張設される）、図２の矢印方向に転写ヘッド１０を押圧すると、該転写ヘッド１０を設けた回動片９は回動し、符号ａ´で示すテープの中間部を押圧して３６０°回動して原位置に戻る（このとき、図２の符号ａ´´で示すようにテープａは、両リール１８，６間において転写ヘッド１０を介して張設される）。
【００１６】
この状態にして基枠１に蓋枠２５と組付けて塗布膜の転写操作を行い、巻取りリール６側に転写済のテープを巻き取らせ、供給リール１８側の転写テープが尽きたとき、蓋枠２５を基枠１より取り外し、供給リール１８と共に、巻取りリール６に巻き付けた転写済のテープを取付片１２と一緒に取り外し、再び、先に示した順序で、新たな転写テープを装填するのである。
【００１７】
【発明の効果】
本発明は前記の通りの構成であるから、従来のように供給リール（コア）および巻取りリール（コア）の一対一組のリール（コア）を必要としないでスペア用としての塗布膜転写テープを保持することができるから、材料の低減を図れ、転写テープの保管持ち運び上好適な転写具を提供できる。
【図面の簡単な説明】
【図１】蓋枠を取り外して示した正面図。
【図２】塗布膜転写テープを装填した状態の一部欠截正面図。
【図３】図２のＸ−Ｘ線断面図。
【図４】塗布膜転写テープの斜視図。
【符号の説明】
６      巻取りリール
１０    転写ヘッド
１２    取付け片
１３ａ  駆動軸
１８    供給リール
Ａ      ケース
【図１】
0004136083.tif 000002
【図２】
0004136083.tif 000003
【図３】
0004136083.tif 000004
【図４】
0004136083.tif 000005